(57)【要約】【課題】回路構成の付加を伴うことなく迷光の誤検出を防止する。【解決手段】光ビーム走査装置１は、ＬＤ１１に対して、感光体ドラム２Ａ面への静電潜像の形成用として予め設定された第１の光量レベルと、それ以下で光路を経て直接受光され、正規の同期信号として検出するための第２の光量レベルとを選択的に設定する光量設定部１０１と、静電潜像の形成処理前に、光量設定部１０１に対して第２の光量レベルの設定を指示し、第２の光量レベルで発光器１１から射出されたレーザ光をＢＤセンサ１７で受光して正規の同期信号の検出を行う同期処理部１０２とを備えた。【選択図】図３
2015011099.tif 000002
【特許請求の範囲】
【請求項１】
発光器から射出されるレーザ光を周期的に走査し、前記レーザ光を光路上に配置された受光器で光量に応じたレベルで受光して同期信号を生成し、前記同期信号に同期して像担持体上に静電潜像を形成する光ビーム走査装置において、
前記発光器に対して、前記静電潜像を形成する通常動作モード用として設定された光量レベルに対応する第１の設定値と、前記通常動作モード用として設定された光量レベル以下であって前記光路を経て直接受光される正規の同期信号を検出するための光量レベルに対応する第２の設定値とを選択的に設定する光量設定部と、
前記通常動作モードに移行する前に、前記光量設定部に対して前記第２の設定値を設定し、この第２の設定値で前記発光器から射出されたレーザ光を受光して前記正規の同期信号を検出する前処理モードを行う同期処理部とを備えた光ビーム走査装置。
【請求項２】
前記正規の同期信号の検出時点から１走査期間が経過する直前までの期間、前記受光器による信号検出動作を禁止する検出動作禁止処理部を備えた請求項１に記載の光ビーム走査装置。
【請求項３】
前記検出動作禁止処理部は、前記正規の同期信号の検出時点から１走査期間が経過する直前までの期間に亘るゲート信号を形成し、受光信号から同期信号を検出する動作を禁止することを特徴とする請求項２に記載の光ビーム走査装置。
【請求項４】
前記光量設定部は、前記第２の設定値を記憶するメモリを備えていることを特徴とする請求項１〜３のいずれかに記載の光ビーム走査装置。
【請求項５】
前記光量設定部は、レーザ光の光量を段階的に変化させる毎に、所定の走査期間を設定して同期信号の個数を計数し、計数値が走査回数と一致するときのレーザ光の光量を第２の設定値として取得することを特徴とする請求項１〜４のいずれかに記載の光ビーム走査装置。
【請求項６】
請求項１〜５のいずれかに記載の光ビーム走査装置を備えたことを特徴とする画像形成装置。
【発明の詳細な説明】
【技術分野】
【０００１】
本発明は、半導体レーザ等の発光器からのレーザ光を画像データで変調しつつ感光体ドラム等の像担持体上に走査し、静電潜像を形成する光ビーム走査装置、及びかかる光ビーム走査装置を有する複写機、プリンタ、ファクシミリ及びこれらの機能を備えた複合機等の電子写真式の画像形成装置に関する。
【背景技術】
【０００２】
画像形成装置は、半導体レーザから射出されるレーザ光をポリゴンミラーを介して周期的に走査する光ビーム走査ユニットを備えている。光ビーム走査ユニットは、軸心周り（副走査方向）に定速回転する感光体ドラム上に、画像データで変調されたレーザ光を、その軸方向（主走査方向）に走査する。かかる走査によって感光体ドラム面上に静電潜像が形成される。光ビーム走査ユニットは、レーザ光の走査路内であって感光体ドラムの走査範囲よりも走査方向の上流側の適所に配置されるＢＤ（Beam Detector）センサを有する。ＢＤセンサはレーザ光の通過タイミングを検出して、この検出時点に同期して感光体ドラムへの画像データの出力動作が開始される。
【０００３】
ところで、近年、画像形成装置の小型化の要請がある。光ビーム走査ユニットは光学的な部品点数が多いことから、それらをより狭いスペースに収容し、しかも高精度に配置することは容易ではなく、複雑な配置構成を強いられる。この結果、光ビーム走査ユニット内では、不要な反射光に起因する迷光の発生が避けがたいという問題が起きている。ＢＤセンサのセンサ面に入射する迷光は、本来の光路を経由したものではないため、すなわち正規のレーザ光の受光タイミングとは異なるタイミングで受光されることになるため、画像データの出力タイミングがずれ、画像品質の低下を招く場合がある。
【０００４】
特許文献１，２には、レーザ光の乱反射等に起因して生じる迷光をＢＤセンサで受光して同期信号として誤検出することを抑止する技術が記載されている。すなわち、特許文献１に記載された発明では、正規光の出力が迷光の出力に比してＢＤセンサの受光面での走査時間が長いことに着目し、レーザ光検出器の出力をランプ信号発生回路でランプ出力として生成し、あるいはカウンタ回路を用いて出力期間を計測し、次いで比較器で閾値とランプ出力やカウント値とを比較することで迷光の誤検出を防止している。また、特許文献２に記載された発明では、ビーム光の強度に対するピークを検出するピーク検出部と、検出したピーク時のビーム光の強度に応じて基準信号を設定する処理回路とを備えて、迷光による影響を抑制するようにしている。
【先行技術文献】
【特許文献】
【０００５】
【特許文献１】特開２００２−３１７７０号公報
【特許文献２】特開２０１１−７０２０３号公報
【発明の概要】
【発明が解決しようとする課題】
【０００６】
特許文献１，２に記載された発明では、迷光の影響を抑止するために種々の誤検出の抑止回路を付設しており、却って構成を複雑に、昨今の省スペース化の要請に応えることを依然として困難なものにしている。また、ユニットの狭スペース内に多数の光学部品を収容、配置する現状では、レーザ光の走査光路に対して受光器の受光面を直角に配置できる保証はなく、このような場合、前記ランプ出力を比較する処理によっても正規のレーザ光と一律に区別できるとは限らない。さらに、特許文献２に記載された発明では、光学部品等の経年変化に対しても誤検出の抑制が可能であるが、同様にそのための回路構成を付設する必要があり、コストアップの原因にもなっていた。
【０００７】
本発明は、上記に鑑みてなされたもので、静電潜像を形成する通常動作モードに移行する前に前処理モードを行うようにし、かつ、その間の光量レベルを通常動作モードの場合に比して制限することで迷光の誤検出を防止して正規の同期信号を検出するようにした光ビーム走査装置及び画像形成装置を提供することを目的とするものである。
【課題を解決するための手段】
【０００８】
本発明は、発光器から射出されるレーザ光を周期的に走査し、前記レーザ光を光路上に配置された受光器で光量に応じたレベルで受光して同期信号を生成し、前記同期信号に同期して像担持体上に静電潜像を形成する光ビーム走査装置において、前記発光器に対して、前記静電潜像を形成する通常動作モード用として設定された光量レベルに対応する第１の設定値と、前記通常動作モード用として設定された光量レベル以下であって前記光路を経て直接受光される正規の同期信号を検出するための光量レベルに対応する第２の設定値とを選択的に設定する光量設定部と、前記通常動作モードに移行する前に、前記光量設定部に対して前記第２の設定値を設定し、この第２の設定値で前記発光器から射出されたレーザ光を受光して前記正規の同期信号を検出する前処理モードを行う同期処理部とを備えたことを特徴とするものである。
【０００９】
この構成によれば、同期処理部によって、静電潜像形成動作を行う通常動作モード前に、光量設定部に対して正規の同期信号を検出するための第２の設定値が設定され、この第２の設定値で発光器から射出されたレーザ光が受光部で受光され、正規の同期信号として検出される。従って、正規の同期信号の検出が、通常動作モード前にレーザ光の光量を制限する処理で可能となるので、新たな回路構成の付加を伴うことなく、迷光の誤検出が防止され、同期信号が精度良く検出される。また、装置のコンパクト化も維持される。
【００１０】
また、前記正規の同期信号の検出時点から１走査期間が経過する直前までの期間、前記受光器による信号検出動作を禁止する検出動作禁止処理部を備えたことを特徴とする。この構成によれば、光量レベルが元の第１の設定値に戻されても、検出動作禁止処理部によって、迷光の誤検出が防止される。
【００１１】
また、前記検出動作禁止処理部は、前記正規の同期信号の検出時点から１走査期間が経過する直前までの期間に亘るゲート信号を形成し、受光信号から同期信号を検出する動作を禁止することを特徴とする。この構成によれば、ゲート信号によって、迷光の誤検出が防止される。
【００１２】
また、前記光量設定部は、前記第２の設定値を記憶するメモリを備えていることを特徴とする。この構成によれば、メモリから読み出して光量設定ができるので、光ビーム走査装置の個体差が吸収される。
【００１３】
また、前記光量設定部は、レーザ光の光量を段階的に変化させる毎に、所定の走査期間を設定して同期信号の個数を計数し、計数値が走査回数と一致するときのレーザ光の光量を第２の設定値として取得することを特徴とする。この構成によれば、経年変化や環境温度等が反映された第２の設定値が取得されるので、正規の同期信号をより精度良く検出することが可能となる。
【００１４】
また、本発明は、前記光ビーム走査装置を備えたことを特徴とする画像形成装置である。この構成によれば、コンパクト化が維持された画像形成装置が提供可能となる。
【発明の効果】
【００１５】
本発明によれば、迷光の誤検出が防止され、同期信号が精度良く検出できる。
【図面の簡単な説明】
【００１６】
【図１】本発明に係る光ビーム走査装置が適用される画像形成装置の第１の実施形態である概略構成を示す正面図である。
【図２】光ビーム走査ユニットの一実施形態の概略構成を示す上面図である。
【図３】光ビーム走査ユニットの動作が関連する構成部分の一実施形態を示すブロック図である。
【図４】レーザ発光器の一実施形態を示すブロック図である。
【図５】レーザ受光器の一実施形態を示すブロック図である。
【図６】レーザ光及び迷光と同期信号との関係を説明するための波形図で、（ａ）は、レーザ光の光量が制御されたレベル（第２の光量レベル）の時のＢＤセンサ１７からの出力の一例を示す波形図、（ｂ）は、（ａ）におけるＢＤ出力から生成される同期信号を示す波形図、（ｃ）は、（ｂ）における同期信号から生成されるマスク信号を示す波形図、（ｄ）は、レーザ光の光量が通常レベル（第１の光量レベル）の時のＢＤセンサ１７からの出力を示す波形図、（ｅ）は、（ｄ）におけるＢＤ出力から生成される同期信号を示す波形図、（ｆ）は、（ｅ）における同期信号から生成されるマスク信号を示す波形図である。
【図７】光量設定部１０１によって実行される制御電圧値取得処理の手順を示すフローチャートである。
【発明を実施するための形態】
【００１７】
図１に示す第１の実施形態において、画像形成装置は、画像形成部１０、中間転写部２０、二次転写部３０、定着部４０、給紙部５０、用紙搬送路６０及び画像読取部７０を備えると共に、装置本体の上部に自動原稿搬送装置８０が搭載されている。画像形成装置は、原稿から読み取った画像データあるいは図外の外部装置から入力された画像データを用紙に多色又は単色の画像形成処理を行う。
【００１８】
画像形成部１０は、光ビーム走査ユニット１及びそれぞれ同様な構造を有する各色の画像形成部１０Ａ〜１０Ｄを備えている。光ビーム走査ユニット１は、筐体を有し、その内部に色毎に必要な光学部品が配置されている。光ビーム走査ユニット１は、画像読取部７０で読み取られた画像データをＢｋ、Ｃ、Ｍ、Ｙ色に変換し、変換後の各色の画像データによって変調されたレーザ光で画像形成部１０Ａ〜１０Ｄの感光体ドラム２Ａ〜２Ｄの表面を軸方向（主走査方向）に沿って露光走査して、それぞれの静電潜像を形成する。代表して説明する画像形成部１０Ａは、感光体ドラム２Ａを備え、その周囲に回転方向（副走査方向）に沿って帯電器３Ａ、現像器４Ａ及びクリーナ部５Ａを備えている。
【００１９】
中間転写部２０は、中間転写ベルト２１、駆動ローラ２２、従動ローラ２３、一次転写ローラ２４Ａ〜２４Ｄを備えて、感光体ドラム２Ａ〜２Ｄの周面に形成されたトナー像を中間転写ベルト２１の表面に一次転写する。二次転写部３０は、中間転写ベルト２１の表面のトナー像を用紙へ二次転写する。定着部４０は、用紙に転写されたトナー像を加熱して定着し、排紙トレイに排出する。給紙部５０は、給紙カセットや手差しトレイを備えており、選択された用紙を、対応する給紙カセットから用紙搬送路６０に給紙する。
【００２０】
図２において、光ビーム走査ユニット１は、レーザダイオード（以下、ＬＤという。）１１、集光レンズ１２、回転多面鏡であるポリゴンミラー１３、Ｆθレンズ１４、及び反射ミラー１５を少なくとも備える。また、光ビーム走査ユニット１は、反射ミラー１６及びフォトダイオード等のＢＤ（Beam Detector）センサ１７を備える。ＢＤセンサ１７は同期信号検出部として機能する。なお、以下では、ある色、例えばＢｋ色における光ビーム走査ユニット１を代表にして説明するが、各色における光ビーム走査ユニットは同様な構造である。
【００２１】
ＬＤ１１は、１つの色を担当するものとして採用されたもので、平行光束を形成する集光レンズ１２を経てポリゴンミラー１３に向かうようにビーム状のレーザ光Ｌを射出する光源である。なお、公知のようにＬＤ１１とポリゴンミラー１３との間には図略の光変調素子が配置されており、ＬＤ１１からのレーザ光が画像データを構成する各画素データで光変調されるようになっている。ＬＤ１１から射出されたレーザ光Ｌは、モータ等の回転駆動部１３１によって定速回転状態にあるポリゴンミラー１３の各面で反射される。ポリゴンミラー１３は、図２の紙面に垂直な回転軸周りに矢印で示す方向に回転することで、レーザ光を等角度走査させる。ポリゴンミラー１３の回転によってレーザ光Ｌは走査される。所定の走査範囲内には、Ｆθレンズ１４を含む下記の光学部品が配置されている。Ｆθレンズ１４は、等角度走査されたレーザ光Ｌを等速度走査に変換する。Ｆθレンズ１４及び反射ミラー１５を通過したレーザ光Ｌは、感光体ドラム２Ａ上（有効露光範囲）を矢印Ｘで示す軸方向（主走査方向）に走査される。感光体ドラム２Ａは、図略の駆動手段で軸周りに定速回転されており、１走査毎の画像データによって光変調されたレーザ光が順次回転方向（副走査方向）に露光されることで表面に画像データに対応した静電潜像が形成される。
【００２２】
反射ミラー１６は、レーザ光Ｌの光路上であって、感光体ドラム２Ａに対して走査方向Ｘの上流側、すなわち有効露光範囲の上流側の適所に配置されている。レーザ光Ｌは反射ミラー１６を通過する間、ＢＤセンサ１７の受光面に一時的に入射される。ＢＤセンサ１７は、レーザ光Ｌを一時的に受光すると、受光レベルに応じた検出信号を生成する。
【００２３】
図３に示すように、画像形成装置は、画像の露光動作に関連する処理部として、光ビーム走査ユニット１の他、画像形成装置の全体的な制御を担うＣＰＵ（Central Processing Unit）９０、画像メモリ９１、及びＩＣＵ（Image Control Unit）９２を備えている。
【００２４】
画像メモリ９１は、画像読取部７０によって読み取られた原稿の画像データや外部から受信した画像データを一時的に保管する。ＣＰＵ９０は、プリント指示及びプリント対象の画像データが指定されると、対象の画像データを画像メモリ９１から読み出して（あるいは外部から直接読み込んで）、ＩＣＵ９２に出力する。ＩＣＵ９２は、画像データに所定の画像処理を施すユニットであり、送信されてきた画像データに対して、例えばページ毎に階調補正や変倍処理等を施す。ＣＰＵ９０は、画像処理が施された画像データを制御部であるＬＳＵ-ＡＳＩＣ（Laser scanning Unit Application SpecificIntegrated Circuit）（以下、ＡＳＩＣという。）１００に出力させる。
【００２５】
ＡＳＩＣ１００は、本実施形態ではソフトウエアによって各機能を実行する光量設定部１０１、同期処理部１０２、及びマスク処理部１０３を備える。ＡＳＩＣ１００にはメモリ１０５が接続されている。メモリ１０５は、例えばＥＥＰＲＯＭ等の不揮発性メモリであり、ＡＳＩＣ１００が参照する各種データ、更には制御電圧値を図略のテーブルに記憶している。制御電圧値とは、ＬＤ１１が射出する発光量を指令する光量制御値である。光量設定部１０１は、制御電圧値をメモリ１０５から読み出して制御回路部１１１に出力する。レーザ発光器としてのＬＤ１１は、制御回路部１１１に入力された制御電圧値に基づいてレーザ光の射出制御を行う。
【００２６】
図４に示すように、制御回路部１１１は、発光光量を一定化制御するためのもので、ＬＤ１１からの射出光の一部が入射され、その受光光量に応じたレベルの信号を生成する、モニタ用のフォトダイオード（以下、ＰＤという。）１１１ａと、ＡＰＣ（Auto Power Controller）１１２と、ＬＤ出力部１１３とを備える。制御回路部１１１は、種々の方法でＬＤ１１を駆動してもよいが、本実施形態では、ＡＰＣ１１２を採用している。ＡＰＣ１１２は、ＬＤ１１の発光光量を一定に保持する機能を実行するコントローラをいう。ＡＰＣ１１２は、定常ＡＰＣ状態において、ＡＳＩＣ１００の光量設定部１０１から入力された制御電圧値をアナログ変換した制御電圧に対し、ＰＤ１１１ａでの検出された検出電圧をフィードバックさせることでレーザ光の光量が一定となるように補正する。そして、ＡＰＣ１１２は、この補正した信号であるＡＰＣ信号をレーザドライバであるＬＤ出力部１１３に出力する。そして、ＬＤ出力部１１３は、ＬＤ１１にＡＰＣ信号を出力する。ＬＤ１１は、ＬＤ出力部１１３から入力されたＡＰＣ信号に応じた光量でレーザ光を射出する。ＰＤ１１１ａは、ＬＤ１１が射出したレーザ光の受光光量に応じた信号（電流）に応じた信号をＡＰＣ１１２に出力し、これによってレーザ発光光量が、光量設定部１０１からの制御電圧値に対応したレベルとなる。なお、光量制御値は、第１の設定値と第２の設定値を有し、光量設定部１０１によって選択的に読み出し可能にメモリ１０５に記憶されている。第１の設定値は、定常ＡＰＣ状態において、感光体ドラム２Ａへの静電潜像を形成する通常動作モードの間に設定される光量制御値である。第２の設定値は、定常ＡＰＣ状態において、第１の設定値以下であって、通常動作モードへ移行する前に、正規の同期信号の検出を行う前処理モードにおいて設定される光量制御値である。
【００２７】
図３に戻って、同期信号生成部１７１は、走査毎にＢＤセンサ１７で検出された信号から閾値を利用して同期信号を抽出するものである。ＢＤセンサ１７と同期信号生成部１７１とでレーザ受光器を構成する。ＡＳＩＣ１００の同期処理部１０２は、通常動作モードの開始前に、光量設定部１０１に対して第２の設定値の設定し、この第２の設定値でＬＤ１１から射出されたレーザ光をＢＤセンサ１７で受光して正規の同期信号の検出を行う前処理モードを実行する。なお、同期信号の検出処理については、図６を用いて後述する。
【００２８】
ところで、ＬＤ１１から射出され、ポリゴンミラー１３を介して走査されるレーザ光は、コンパクト化された光ビーム走査ユニット１の筐体内で複雑に配置された部品の一部で不要に反射（部材表面での多重反射等も含む）して迷光を生じる虞があり、しかも、この場合の迷光は、正規の光路に比して長く又は短くなる光路を経て、正規のレーザ光の受光タイミングに対して時間差を持ってＢＤセンサ１７に受光される場合がある。また、コンパクト化が原因で、ＢＤセンサ１７の受光面がレーザ光の正規の光路に対して垂直に向けた姿勢で配置することが困難な場合があり、かかる場合も、迷光が生じ易くなる。
【００２９】
図５において、同期信号生成部１７１はオペアンプを有し、反転入力端子にはＢＤセンサ１７が接続されて受光光量に応じた電圧（検出電圧）が入力され、一方、非反転入力端子には参照電圧源（図略）からの閾値Ｖrefが入力され、出力端子はＡＳＩＣ１００に接続されている。これにより、同期信号生成部１７１は、ＢＤセンサ１７からの検出電圧が閾値Ｖrefを超えた場合に、Ｌレベルの検出信号をＡＳＩＣ１００に出力する。
【００３０】
従って、走査中のある時点で、ＢＤセンサ１７が迷光を受光し、その検出レベルが閾値Ｖrefを超えたような場合には、不適な同期信号となる。かかる迷光による検出信号がＡＳＩＣ１００に同期信号として誤って出力されると、当該走査においては主走査の画像データの出力開始タイミングが、他の走査時における画像データの出力開始タイミングと異なることとなる。この場合、プリントされた画像は、主走査方向にずれを生じたものとなって、低品質のプリント画像が形成されてしまうことになる。
【００３１】
次に、図６を用いてレーザ光及び迷光と同期信号との関係を説明する。先ず、第１の設定値のときの動作について説明する。図６（ｄ）、（ｅ）に示すように、第１の設定値では、ＢＤセンサ１７での検出信号として、正規のレーザ光の信号ｓｏ（ｔｏ時点）の他に、時間的にその近傍で、例えば前後で迷光が受光されている。信号ｓｏ及び前後の迷光ｓ’、ｓ’’は閾値Ｖrefを超えており、従って、図６（ｅ）のとおり、正規の同期信号Ｓｓの他に、２個の不適な同期信号Ｓ’，Ｓ’’（なお、Ｓn’，Ｓn’’は次の走査における対応する信号）が生成されている。従って、このままでは、ＡＳＩＣ１００の同期処理部１０２は、例えば先頭の不適な同期信号Ｓ’に基づいて画像データの出力開始タイミングを誤って設定する。
【００３２】
一方、図６（ａ）（ｂ）に示すように、第２の設定値のときには、ＢＤセンサ１７での検出信号として、正規のレーザ光の信号ｓｏ（ｔｏ時点）の他に、図６（ｄ）に対応する迷光ｓ’、ｓ’’が受光されているものの、信号ｓｏは閾値Ｖrefを超えているが、迷光ｓ’、ｓ’’は閾値Ｖrefに達していない。従って、図６（ｂ）のとおり、信号ｓｏに対応する同期信号Ｓｓのみが正規の同期信号として生成され、ＡＳＩＣ１００の同期処理部１０２は、正規の同期信号Ｓｓに基づいて画像データの出力開始タイミングを設定する。
【００３３】
ＬＤ１１の発光光量は、ＡＳＩＣ１００の光量設定部１０１から出力される制御電圧値で設定される。同期処理部１０２は、プリント指令があると、まず、前処理モードを開始するべく、光量設定部１０１を介して設定された第２の設定値でＬＤ１１を発光させ、その間にＢＤセンサ１７を介して正規の同期信号が検出されると、続いて通常動作モードに移行するべく制御電圧値を第１の設定値に切り替える。なお、ＡＳＩＣ１００は、ＩＣＵ９２から入力された画像データを正規の同期信号に同期して出力する。
【００３４】
第１の設定値は定格光量として設定される。また、第２の設定値は、出荷前の、例えば工場での生産工程の最終段階等において、光ビーム走査ユニット１を試験動作させて設定される。設定方法は、各制御電圧値で光ビーム走査ユニット１を稼働させてレーザ光及び発生する迷光の受光レベルを検出し、そのうちから、レーザ光の受光レベルが閾値Ｖref以上になる一方、迷光の受光レベルがいずれも閾値Ｖrefに達しないようなレーザ光の発光光量に対応する制御電圧値を第２の設定値として選定し、メモリ１０５に書き込むことで得られる。これによって、各光ビーム走査ユニット１に対して、個体差が吸収された同期信号検出用の制御電圧値が設定される。
【００３５】
図３に戻り、マスク処理部１０３は、迷光の誤検知を抑制するもので、同期処理部１０２によって正規の同期信号が検出されたことを受けて、この正規の同期信号の検出タイミングを元に、同期信号生成部１７１の検出動作を中断させるものである。マスク処理部１０３の動作を図６（ｃ）、（ｆ）を参照して説明する。前処理モードで設定された第２の設定値で走査中のレーザ光がＢＤセンサ１７で受光され、正規の同期信号Ｓs（図６（ｂ）参照）が出力されると、この同期信号Ｓｓの検出タイミング、例えば同期信号Ｓｓの先端であるｔo時点から、ゲート状のマスク信号Ｓmaが生成される。マスク信号Ｓmaの幅は、図６（ｄ）（ｅ）に示す迷光ｓ’，ｓ’’が遮断されるように設定されることが好ましい。すなわち、マスク信号Ｓmaは、１走査（ポリゴンミラーの１面分）期間Ｔo（図６（ｃ）のｔo〜ｔo’）に対して、実質的に全域、例えば９９．５％の幅（図６（ｃ）のｔo〜ｔ2）が設定されている。マスク信号Ｓmaの幅は、一律でもよいし、前記と同様に個体差に対応し得るように、生産工程で設定するようにしてもよい。
【００３６】
マスク処理部１０３によってマスク信号Ｓmaが設定されると、直後、例えば次周期の走査から通常動作モードに移行し、第１の設定値が設定されると共に、同期信号Ｓｓを基準にマスク信号Ｓmsが走査毎に生成され、図６（ｆ）に示すように、当該周期における迷光ｓn’，ｓn’’が遮断される。その結果、以後、走査毎に正規の同期信号Ｓｓが検出される。
【００３７】
以上の説明では、第２の設定値を生産工程で設定するようにしたが、出荷後において適宜設定する態様としてもよい。光レーザ走査ユニット１を構成する光学部品は、使用等により経年的な変化を受けて、あるいは環境温度の影響を受けてレンズ等の光透過率、ミラーの反射率や光学センサの感度が変化したり、また変形等したりすることが考えられる。特に、迷光の影響を排除する点から、使用開始後からの適宜の時点で設定されるようにしてもよい。光量設定部１０１は、第２の実施形態として、画像形成装置の使用開始後において第２の設定値を取得する処理を実行するものである。
【００３８】
次に、図７に示す、第２の設定値の取得処理の手順を示すフローチャートにおいて、まず、ＬＤ１１の光量が初期値に、例えば第１の設定値に設定され（ステップＳ１）、その状態で、定常ＡＰＣが開始される（ステップＳ３）。続いて、ＢＤセンサ１７で受光され、同期信号生成部１７１で生成されたパルス信号の個数を計数するためのカウンタのカウント値（ＢＤカウント値）がリセットされ（ステップＳ５）、この後、カウント動作が開始され（ステップＳ７）、かつ、タイマの計時動作が開始される（ステップＳ９）。
【００３９】
次いで、タイマが予定時間、例えばポリゴンミラー１３が設定走査回数分に相当する時間が経過したか否かが判断される（ステップＳ１１）。予定時間が経時されると（ステップＳ１１でＹｅｓ）、カウント動作が中止される（ステップＳ１３）。そして、ＢＤカウント値と所定値Ａとの大小が比較される（ステップＳ１５）。ここに、所定値Ａとは、所定時間／１走査時間をいう。なお、所定時間は、精度を考慮して、１走査時間より長い複数走査時間、かつ１走査時間で割り切れない時間に設定されている。ステップＳ１５におけるＢＤカウント値と所定値Ａとの大小比較は、観察のための走査回数とＢＤカウント値との大小を比べることで、迷光の検出状況を判断するものである。例えば、予定時間が走査回数の１０回分に相当する時間とした場合、正常であれば、１０個の信号が生成、つまりＢＤカウント値は１０となり、両者一致することになる。一方、ＢＤカウント値が１１以上であれば、少なくとも迷光に基づく誤検知分が混在していることが判る。逆に、ＢＤカウント値が１０未満であれば、正規の同期信号も検知できていない異常があるということになる。
【００４０】
そこで、ステップＳ１５で、ＢＤカウント値が所定値Ａ未満であると、エラー報知が行われる（ステップＳ１７）。エラー報知は、動作を停止してもよいし、あるいは所定回数だけ制御電圧値をより高い値に設定し直してステップＳ５に戻す方法であってもよい。
【００４１】
一方、ＢＤカウント値が所定値Ａ以上であると、さらに、ＢＤカウント値と所定値Ａとが一致するか否かが判断され（ステップＳ１９）、一致しなければ、すなわち、ＢＤカウント値の方が大きくて迷光の誤検知分が混在しているとして、レーザ光量を段階的に下げるべく、制御電圧値が所定値だけ低減されて（ステップＳ２１）、ステップＳ５に戻る。そして、同様の処理を繰り返して、ＢＤカウント値と所定値Ａとが一致すると判断されると（ステップＳ１９でＹｅｓ）、そのときの制御電圧値が第２の設定値として更新設定される（ステップＳ２３）。かかる方法を採用することで、個体差の他、経年変化や環境温度の影響も吸収される。
【００４２】
なお、更新設定される第２の設定値は、ＢＤカウント値が１走査当たり１個となる、すなわちステップＳ１９でＹｅｓと判断される状態を満たす、最大の制御電圧値と最低の制御電圧値とを抽出し、その中間値としてもよい。
【００４３】
また、ステップＳ１で設定される初期値は、第１の設定値に限定されず、第１の設定値より低い所定値であってもよい。
【００４４】
また、第２の設定値の更新設定処理は、自動的でもよいし、オペレータによる指示を受け付けて実行される態様でもよい。自動的に実行される態様では、画像形成装置の起動毎に、又は画像形成装置の動作時間を計時するタイマを備えている場合は、その計時値が所定値増加する毎に行われようにすればよい。また、プリント指示毎に、あるいはプリント動作回数をカウントするカウンタを備える場合は、そのカウント数が所定値増加する毎に行われるようにすればよい。なお、プリント指示の都度実行される場合、ステップＳ２３から引き続いて通常動作モードに移行してもよい。
【００４５】
また、第２の実施形態として示した第２の設定値取得処理は、高い方から順次所定値ずつ段階的に低下させながら、迷光の出現状況を観察して適宜の制御電圧値を取得しているが、かかる方法に代えて、上下から絞り込む方法を採用してもよいし、低い方の所定の光量レベルから順次所定値ずつ段階的に高くする方法でもよい。
【００４６】
また、第３の実施形態として、通常動作モード時における正規の同期信号の検出は、マスク処理の他に、前処理モードで得られた正規の同期信号Ｓｓの検出時点から計時動作を行い、計時情報とＢＤセンサ１７（あるいは同期信号生成部１７１）の信号とから正規のレーザ光の受光（同期信号Ｓｓ）か否かを判断する態様でもよい。
【００４７】
また、第４の実施形態として、マスク処理部１０３は、ゲート状のマスク処理を適用する態様の他、正規の同期信号Ｓｓを検出した後、当該正規の同期信号Ｓｓの検出時点から、１走査期間が経過する直前（図６（ｃ）のｔ2）までの期間に、例えば同期信号生成部１７１の動作を中断したり、ＢＤセンサ１７の出力側の回路を遮断したり、所定のバイアスを印加するなどして動作を禁止する検出動作禁止処理部として機能するものであればよい。
【００４８】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４９】
１  光ビーム走査ユニット（光ビーム走査装置）
１１  ＬＤ（発光器）
１７  ＢＤセンサ（受光器）
１０１  光量設定部
１０２  同期処理部
１０３  マスク処理部（検出動作禁止処理部）
２Ａ  感光体ドラム（像担持体）
Ｓs  正規の同期信号
Ｓma  マスク信号
【図１】
2015011099.tif 000003
【図２】
2015011099.tif 000004
【図３】
2015011099.tif 000005
【図４】
2015011099.tif 000006
【図５】
2015011099.tif 000007
【図６】
2015011099.tif 000008
【図７】
2015011099.tif 000009